(57)【特許請求の範囲】
【請求項１】
電動回転工具と、当該電動回転工具の回転を工具に伝えるフレキシブルシャフトと、長ボルトに螺着したナットを係止する工具本体とから成り、前記工具本体は箱型のケーシングの上下面に、相対向して孔を夫々設け、前記ケーシングの上下面の各孔と中心を合わせた貫通孔を有する管体を前記ケーシング内に回転自在に支持して設け、当該管体の上端は前記ケーシングの上面の孔から上方に突出しており、前記貫通孔は上記長ボルトが挿通可能な内径を有し、上端開口部に段部を設けてナットが嵌入係止されるナット受け座を穿設し、当該管体の外周に第１傘歯車を外周に沿って設け、前記ケーシング内に、前記第１傘歯車に噛合う第２傘歯車を回転自在に設け、当該第２傘歯車の水平シャフトをケーシングの側壁に穿った孔に回転自在に貫通させ、当該水平シャフトの先端に前記フレキシブルシャフトの一端を接続自在とし、前記管体の上面の、ナット受け座の開口部の周縁に、前記ナット受け座に挿入したナットの上面外縁を被う係止板の一端を、水平回転自在かつ固定自在に軸支したことを特徴とする、電動式ナット回し工具。
【請求項２】
前記水平軸の先端に、どの角度でも回転伝達できるユニバーサルジョイントにより接続軸の一端を接続し、当該接続軸の他端に前記フレキシブルシャフトの一端を接続自在としたことを特徴とする、請求項１に記載の電動式ナット回し工具。
【請求項３】
前記ナット受け座に嵌合自在なアタッチメントを設け、当該アタッチメントの中央部に、嵌入係止されるナットの外形とほぼ同形の内周径を有する、上下面を貫通する貫通孔を設けたことを特徴とする、請求項１又は２に記載の電動式ナット回し工具。
【請求項４】
電動回転工具と、当該電動回転工具の回転を工具本体に伝えるフレキシブルシャフトと、二本の平行する長ボルトに螺着した各ナットを係止する二つの工具本体と、前記フレキシブルシャフトの回転を前記二つの工具本体に伝えるディファレンシャルギヤー装置とから成り、前記各工具本体は、箱型のケーシングの上下面に、相対向して孔を夫々設け、前記ケーシングの上下面の各孔と中心を合わせた貫通孔を有する管体を前記ケーシング内に回転自在に支持して設け、当該管体の上端は前記ケーシングの上面の孔から上方に突出しており、前記貫通孔は上記長ボルトが挿通可能な内径を有し、上端開口部に段部を設けてナットが嵌入係止されるナット受け座を穿設し、当該管体の外周に第１傘歯車を外周に沿って設け、前記ケーシング内に、前記第１傘歯車に噛合う第２傘歯車を回転自在に設け、当該第２傘歯車の水平シャフトをケーシングの側壁に穿った孔に回転自在に貫通させ、当該水平シャフトの先端に前記フレキシブルシャフトの一端を接続自在とし、前記管体の上面の、ナット受け座の開口部の周縁に、前記ナット受け座に挿入したナットの上面外縁を被う係止板の一端を、水平回転自在かつ固定自在に軸支した構成とし、各工具本体のナット受け座に、前記長ボルトに螺着したナットを嵌め入れて、各係止具で前記各ナットの上面を被い、各工具本体の水平シャフトに前記ディファレンシャルギヤー装置の左右のシャフトを接続し、当該ディファレンシャルギヤー装置の中央シャフトに前記フレキシブルシャフトの一端を接続し、当該フレキシブルシャフトの他端を前記電動回転工具に接続自在としたことを特徴とする、電動式ナット回し工具。
【発明の詳細な説明】
【技術分野】
【０００１】
この発明は、吊りボルト等の長ボルトにナットを螺着して前記長ボルトの所定の箇所まで当該ナットを移動させる、電動式ナット回し工具に関するものである。
【背景技術】
【０００２】
従来、建造物等の中を電気ケーブルや通信ケーブルを配線する場合、複数の電気ケーブルや通信ケーブルを載置して支持するケーブルラックを設置している場合が多い。特に大きな建造物では、図１０に示すように、ケーブルラック５０が多数段に設けられている。このケーブルラック５０は天井から間隔をあけて吊り下げた二本の吊りボルト５１に、アングル材から成る横材５２を水平に固定し、これらの横材にラダー５３を載せ、このラダー５３の長手方向に一定の間隔ごとに、同様に吊りボルト５１に水平に固定された横材５２の上に載せ、この様に固定されたラダー５３にケーブルを載置している。
【０００３】
そして、前記横材５２を各吊りボルト５１に固定するため、各吊りボルト５１に通した横材５２の上下でナットを螺着して締め付け、固定している。そのため、図１１に示すように各吊りボルト５１に多数のナット５４を螺着し、所定の位置までナット５４を移動させなければならない。これを従来は、作業員が手で、吊りボルト５１の下から、所望数のケーブルラック５０の数だけ、ナット５４を回して吊りボルト５１の上方に移動させていた。
【０００４】
これは、手間のかかる作業であり、たとえば、図１０のような５段のケーブルラック５０を設置する場合でも、５個（吊りボルト１本あたり）×２本（吊りボルト）×５組=５０個のナットを取り付ける必要があるため、時間もかかるものである。そこで、電動ドリルに、ドライバー等の工具の先を固定し、電動ドリルを回して、工具の把持部を回転させ、当該回転する把持部を前記ナットに当てて、ナットを回転させて、吊りボルトに沿ってナットを上下させることも試みている。
【０００５】
この方法は、簡便であるが、もともと電動工具のチャックにドライバーの先端が必ずしも合うものではなく、使用中にドライバーが外れて吹き飛び、作業員が怪我する恐れもあり、また、ドライバーの把持部をナットの外周に当てて回転を伝達するため、回転伝達の精度が悪く、効率の悪いものである。
【０００６】
そこで、前記ナットを長ボルトに沿って上下に移動させるため、電動工具と接続して当該電動工具の回転力でナットを回転させる工具が開発されている。特許文献１は、自身の内部に全ネジボルトを挿入する筒体を形成し、この筒体の一端に、電気ドリルや充電ドライバーのごとき回転電動機の回転部分に連結する連結体を設け、筒体の他端に、全ネジボルトにネジ止めするナットを内嵌するソケットを設けたナット回し用工具である。
【０００７】
また、特許文献２は、上下一対の固定基板の間に、電動回転工具の先端に着脱自在に固定する駆動用プーリーと、吊りボルトにネジ止めされたナットの周囲に嵌合係止するソケット付プーリーと、駆動側プーリーの回転力でソケット付プーリーを連動する無端ベルトを配設し、駆動用プーリーに固定した電動回転工具の回転操作でソケット付プーリーに嵌合係止したナットを回転させる電動式ナット回し工具において、ソケット付プーリー内に嵌合したナットの上面に係止する係止具を固定基板に設けた電動式ナット回し工具である。
【０００８】
また、特許文献３は、トルクレンチであって、ネジ体と係合するヘッドと、ヘッドから半径方法に延び、ネジ体に係合させたヘッドを回転させてネジ体の締め付けを行う手動締め付け用のハンドルバーとが備えられ、更に、ネジ体早回し用の電動モーターが備えられ、前記モーターはトルクレンチ本体から分離し、モーターの回転がフレキシブルシャフトを介してヘッドに伝えられるようになっており、前記モーターとそのバッテリーが腰ベルトの備えられているトルクレンチである。
【０００９】
【特許文献１】実公平７−４２６１０号公報
【特許文献２】特許第２９６１４１７号公報
【特許文献３】特開２００５−１４１９３号公報
【発明の開示】
【発明が解決しようとする課題】
【００１０】
前記特許文献１のものは、長ボルトを自体の筒体に全て挿入してその上端のソッケットにナットを内嵌し、当該ナットを回転させるものであるため、筒体は長いものとなってしまう。そのため、作業員が取扱いにくい。また、前記長ボルトの長さに合わせて、筒体の側面から内部に、長ボルトの挿入長さを規制するピンを入れなければならず、手間がかかるものである。また、この工具に使用する電動工具は、長ボルトの真下で操作しなければならず、作業の制約が大きい。
【００１１】
また、前記特許文献２のものは、工具のソケット付プーリーに嵌合係止したナットの上面を係止する係止具を備えているが、ナットの下は係止されておらず、当該工具をナットの上方へ、ナットの移動より早く押すと、ナットから工具が抜けてしまう恐れがある。特に、この工具は、電動回転工具を駆動側プーリーに下から固定するため、作業員は工具の下から電動回転工具を支持しなければならず、下から電動回転工具を上に押してしまうおそれがあり、その場合、工具が前記ナットから外れ易い欠点を有している。また、この場合も当該工具の下から電動回転工具を操作するため、操作しづらい欠点がある。
【００１２】
また、前記特許文献３のものは、トルクレンチでありながら、ネジ体早回し機構が設けられ、専用のモーターの回転をフレキシブルシャフトでネジ体と係合するソケットに伝達する構成となっているが、その詳細は記載されておらず、どのようにモーターの回転がソケットに伝達されるかの構成が不明である。また、ネジ体と係合するヘッドがどのようにナットと係合しているかも記載がなく、不明である。従って、ソケットにネジ体が係止された状態で当該トルクレンチを作業員が持っていなければならず、ネジ体を回転させている間に、ネジ体からソケットが外れるおそれがある。従って、操作に熟練を要する。
【００１３】
この発明はこのような従来技術を考慮したものであって、長ボルトに螺着したナットに工具を係止した際、外れにくく、作業員が電動回転工具を横に持って作業できるため操作しやすい電動式ナット回し工具を提供することを目的としたものである。
【課題を解決するための手段】
【００１４】
請求項１の発明は、電動回転工具と、当該電動回転工具の回転を工具に伝えるフレキシブルシャフトと、長ボルトに螺着したナットを係止する工具本体とから成り、前記工具本体は箱型のケーシングの上下面に、相対向して孔を夫々設け、前記ケーシングの上下面の各孔と中心を合わせた貫通孔を有する管体を前記ケーシング内に回転自在に支持して設け、当該管体の上端は前記ケーシングの上面の孔から上方に突出しており、前記貫通孔は上記長ボルトが挿通可能な内径を有し、上端開口部に段部を設けてナットが嵌入係止されるナット受け座を穿設し、当該管体の外周に第１傘歯車を外周に沿って設け、前記ケーシング内に、前記第１傘歯車に噛合う第２傘歯車を回転自在に設け、当該第２傘歯車の水平シャフトをケーシングの側壁に穿った孔に回転自在に貫通させ、当該水平シャフトの先端に前記フレキシブルシャフトの一端を接続自在とし、前記管体の上面の、ナット受け座の開口部の周縁に、前記ナット受け座に挿入したナットの上面外縁を被う係止板の一端を、水平回転自在かつ固定自在に軸支した、電動式ナット回し工具とした。
【００１５】
また、請求項２の発明は、前記水平軸の先端に、どの角度でも回転伝達できるユニバーサルジョイントにより接続軸の一端を接続し、当該接続軸の他端に前記フレキシブルシャフトの一端を接続自在とした、請求項１に記載の電動式ナット回し工具とした。
【００１６】
また、請求項３の発明は、前記ナット受け座に嵌合自在なアタッチメントを設け、当該アタッチメントの中央部に、嵌入係止されるナットの外形とほぼ同形の内周径を有する、上下面を貫通する貫通孔を設けた、請求項１又は２に記載の電動式ナット回し工具とした。
【００１７】
また、請求項４の発明は、電動回転工具と、当該電動回転工具の回転を工具本体に伝えるフレキシブルシャフトと、二本の平行する長ボルトに螺着した各ナットを係止する二つの工具本体と、前記フレキシブルシャフトの回転を前記二つの工具本体に伝えるディファレンシャルギヤー装置とから成り、前記各工具本体は、箱型のケーシングの上下面に、相対向して孔を夫々設け、前記ケーシングの上下面の各孔と中心を合わせた貫通孔を有する管体を前記ケーシング内に回転自在に支持して設け、当該管体の上端は前記ケーシングの上面の孔から上方に突出しており、前記貫通孔は上記長ボルトが挿通可能な内径を有し、上端開口部に段部を設けてナットが嵌入係止されるナット受け座を穿設し、当該管体の外周に第１傘歯車を外周に沿って設け、前記ケーシング内に、前記第１傘歯車に噛合う第２傘歯車を回転自在に設け、当該第２傘歯車の水平シャフトをケーシングの側壁に穿った孔に回転自在に貫通させ、当該水平シャフトの先端に前記フレキシブルシャフトの一端を接続自在とし、前記管体の上面の、ナット受け座の開口部の周縁に、前記ナット受け座に挿入したナットの上面外縁を被う係止板の一端を、水平回転自在かつ固定自在に軸支した構成とし、各工具本体のナット受け座に、前記長ボルトに螺着したナットを嵌め入れて、各係止具で前記各ナットの上面を被い、各工具本体の水平シャフトに前記ディファレンシャルギヤー装置の左右のシャフトを接続し、当該ディファレンシャルギヤー装置の中央シャフトに前記フレキシブルシャフトの一端を接続し、当該フレキシブルシャフトの他端を前記電動回転工具に接続自在とした、電動式ナット回し工具とした。
【発明の効果】
【００１８】
請求項１の発明によれば、工具本体のナット受け座に、長ボルトに螺着したナットを嵌入れ、係止板をナットの上に被せると当該ナットは上下左右から係止されるため、工具本体は、ナットの回転でのみ長ボルトに沿って上下に移動し、作業員の余計な力で工具本体がナットから外れる恐れがない。作業員は、工具本体の動きにしたがって電動回転工具やフレキシブルシャフトを動かせばよい。また、作業員は、工具本体の側面から電動回転工具およびフレキシブルシャフトを持てばよく、作業員は無理な姿勢をすることなくこれらの操作ができ、安全、迅速、かつ効率よく作業ができる。
【００１９】
また、請求項２の発明によれば、工具本体のユニバーサルジョイントを介してフレキシブルシャフトを接続するため、工具本体の側面下方から、また、側面上方等種々の角度から作業員が電動回転工具の操作ができるため、高所や狭い場所での作業が容易である。
【００２０】
また、請求項３の発明によれば、長ボルトに沿って移動させるナットの大きさに、工具本体のナット受け座の大きさが合わない場合であっても、予め1個又は複数のアタッチメントを用意しておけば、前記アタッチメントを介在させてナットをナット受け座に嵌め入れ、当該ナットを長ボルトに沿って移動させることができる。従って、この発明の一台の工具の汎用性が広がる。
【００２１】
また、請求項４の発明によれば、ケーブルラックのように長ボルトが二つ平行して並んでいる場合であって、各長ボルトの同じ位置にナットを移動させる場合、この発明の工具を用いれば、二つのナットを同時に所望の位置に移動させることが容易に出来る。従って、作業員の労力も少なくて済み、効率よくかつ迅速な作業ができる。
【発明を実施するための最良の形態】
【００２２】
この発明は、電動回転工具と、当該電動回転工具の回転を工具本体に伝えるフレキシブルシャフトと、長ボルトに螺着したナットを係止する工具本体とから成り、前記工具本体は箱型のケーシングの上下面に、相対向して孔を夫々設け、前記ケーシングの上下面の各孔と中心を合わせた貫通孔を有する管体を前記ケーシング内に回転自在に支持して設け、当該管体の上端は前記上面の孔から上方に突出させ、前記貫通孔は上記長ボルトが挿通可能な内径を有し、上端開口部に、段部を設けてナットが嵌入係止されるナット受け座を穿設し、当該管体の外周に沿って第１傘歯車を設け、前記ケーシング内に、前記第１傘歯車に噛合う第２傘歯車を回転自在に設け、当該第２傘歯車の水平シャフトをケーシングの側壁に穿った孔に回転自在に貫通させ、当該水平シャフトの先端に前記フレキシブルシャフトの一端を接続自在とし、前記管体の上面の、ナット受け座の開口部の周縁に、前記ナット受け座に挿入したナットの上面外縁を被う係止板の一端を、水平回転自在かつ固定自在に軸支した、電動式ナット回し工具とした。
【００２３】
これにより、工具本体のナット受け座に長ボルト螺着したナットを嵌め入れて、係止板でナットの上面を押さえれば、当該ナットは上下、左右が係止され、作業中にナットが工具本体から外れることがなく、作業を容易にすることができる。
【実施例１】
【００２４】
以下、この発明の実施例１を図に基づいて説明する。図１はこの発明の工具本体の縦断面図、図２はこの発明の工具本体の斜視図、図３はこの発明の使用状態を示す斜視図、図４は同使用状態における工具本体の縦断面図である。
【００２５】
この工具は、電動回転工具Ａと、この電動回転工具Ａの回転を伝達するフレキシブルシャフトＢと、長ボルトに螺着されたナットを係止、回転させる工具本体Ｃとから構成される。前記電動回転工具Ａは、市販の電動ドリルであり、前記フレキシブルシャフトＢは可撓性のシャフトと、当該シャフトの外周を被う可撓性の鞘管とから構成される市販のものである。
【００２６】
前記工具本体Ｃは、略箱型のケーシング１から成り、このケーシング１の上下面に、相対向して孔２ａ、２ｂを穿っている。このうち、上面の孔２ａは孔２ｂより大径となっている。また、このケーシング１内に縦に管体３を、ベアリング４を介して回転自在に設けている。この管体３の上端は前記孔２ａより上方に突出している。また、この管体３の上下端面を貫通する貫通孔３ａは、後述する長
ボルトＤが挿通できる内径を有している。
【００２７】
そして、この管体３の貫通孔３ａの上端開口部には、貫通孔３ａの内周を穿った、横断面六角形のナット受け座５を、段部を設けて穿設している。また、この管体３の外周には、第１傘歯車６を設けており、この第１傘歯車６は、ケーシング１の側壁を貫通軸支された水平シャフト７のケーシング１内の一端に設けられた第２傘歯車８と噛合している。
【００２８】
また、前記水平シャフト７の他端は、ケーシング１の側壁に隣接して設けられたケース９内のユニバーサルジョイント１０を介して接続軸１１と接続されており、この接続軸１１は前記水平シャフト７に対して斜めになっても回転が伝達されるようになっている。また、前記管体３の上端面には、略Ｃ字型の係止板１２の一端が軸１３により軸支されて水平回転自在となり、前記ナット受け座５の上面の内周縁を被うようになっており、この状態で、係止板１２が固定可能な構成となっている。
【００２９】
この工具を使用するには、長ボルトＤに当該ボルトの下端からナットＥを螺着し、このナットＥを工具本体Ｃのナット受け座５に嵌め入れる。その際、係止板１２を開いて、ナット受け座５の開口部をあけ、貫通孔３ａに長ボルトＤを挿入してナットＥをナット受け座５に嵌め入れる。その後、係止板１２を閉じ、これにより係止板１２を固定する。これによりナットＥは工具本体Ｃに把持され、上下左右の動きを規制される。
【００３０】
そして、接続軸１１にフレキシブルシャフトＢの一端を接続し、また当該フレキシブルシャフトＢの他端を電動回転工具Ａに接続する。作業者は前記電動回転工具Ａを一方の手で持ち、他方の手でフレキシブルシャフトＢを持って、電動回転工具Ａを回転させる。するとフレキシブルシャフトＢを通して接続軸１１、水平シャフト７及び第２傘歯車８に回転が伝達され、第１傘歯車６および管体３が回転する。この管体３のナット受け座５に把持されたナットＥが回転し、長ボルトＤに沿ってナットＥが上方又は下方に移動する。
【００３１】
その際、ナットＥはナット受け座５に嵌め入れられると、上下左右の動きが規制され、ナットＥは工具本体Ｃから外れない。従って作業中に、ナットＥから工具本体Ｃが外れないため、作業員は電動回転工具ＡとフレキシブルシャフトＢを手で押さえていれば、ナットＥはスムーズに長ボルトＤの上下方向に移動できる。
【００３２】
また、前記長ボルトＤに螺着するナットＥの外径や形状が、前記ナット受け座５の大きさや形状と合わない場合、図５に示すようなアタッチメント１９を用意することができる。このアタッチメント１９は、前記ナット受け座５の嵌合凹部の形状と同じ外形形状を有し、当該アタッチメント１９の中央部に、嵌入係止されるナットＥの外形とほぼ同形の内周径を有する、上下面を貫通する貫通孔２０を設けたものである。この貫通孔２０の断面形状は、図６に示すように、六角形に限らず、四角形であっても良く、要は、長ボルトＤに沿って移動させるナットの外形形状及び大きさとほぼ同じであればよい。
【００３３】
このアタッチメント１９を前記ナット受け座５に嵌め入れ、前記長ボルトＤに螺着し、上下に移動させるナットＥをこのアタッチメント１９の貫通孔２０内に嵌め入れる。これにより、工具本体ＣにナットＥは係止され、管体３の回転によってナットＥも回転し、長ボルトＤに沿ってナットＥは上又は下に移動する。さらに、このアタッチメント１９を、貫通孔２０の内周径の異なる、又は内周形状の異なるものを複数用意しておけば、現場で、ナットＥの外径や形状に合わせてアタッチメント１９を選ぶことができ、さらに便利である。
【実施例２】
【００３４】
次に、この発明の実施例２を説明する。この実施例２は長ボルトＤが、二本近接して吊り下げられている場合で、図１０のように吊りボルト５１、５１の間隔が短い場合の吊りボルト５１、５１に使用するものである。図７は、実施例２の使用状態を示す側面図であり、図８は同使用状態を示す分解斜視図、図９は、同実施例２に使用するディファレンシャルギヤー装置の原理を示す説明図である。
【００３５】
この実施例２では、前記電動回転工具Ａ、フレキシブルシャフトＢ、及び二つの工具本体Ｃを用意すると共に、ディファレンシャルギヤー装置Ｆを用意する。このディファレンシャルギヤー装置Ｆは、図９に示すように、三つの傘歯車１５ａ、１５ｂ、１５ｃから成り、傘歯車１５ａを回転させると、傘歯車１５ｂ、１５ｃが相互に逆回転する構成となっている。
【００３６】
この傘歯車１５ｂに接続した第１シャフト１６を、一方の長ボルトＤのナットＥ（図示省略）に装着した工具本体Ｃの接続軸１１に接続し、前記傘歯車１５ｃに接続した第２シャフト１７を、他方の長ボルトＤのナットＥに装着した工具本体Ｃの接続軸１１に接続する。そして、当該ディファレンシャルギヤー装置Ｆの前記傘歯車１５ａに接続した第３シャフト１８を、前記フレキシブルシャフトＢの一端に接続し、当該フレキシブルシャフトＢの他端を電動回転工具Ａに接続する。なお、前記第１シャフト１６、第２シャフト１７及び第３シャフト１８は、夫々鞘管で被覆されている。
【００３７】
この状態で、作業員は、前記電動回転工具Ａ及びフレキシブルシャフトＢを持って、電動回転工具Ａを回転させる。この回転が、フレキシブルシャフトＢを介してディファレンシャルギヤー装置Ｆの傘歯車１５ａに伝わり、傘歯車１５ｂ及び１５ｃに相互に逆回転となって伝わり、第１シャフト１６及び第２シャフト１７を通して、各工具本体Ｃの各管体３が回転し、各ナットＥ（図示省略）が回転する。そして、二つのナットＥは各長ボルトＤに沿って上下いずれかの同方向に移動する。
【００３８】
このように、一つの電動回転工具Ａの回転を、二つのナットＥに伝え、これらのナットＥを同時に各長ボルトＤに沿って移動させることができ、従って極めて効率がよい。
【００３９】
なお、前記実施例１及び２では、工具本体Ｃのナット受け座５を横断面６角形としたが、この断面形状はこれに限るものではなく、４角形、多角形等、嵌め入れるナットＥが回転を阻止されるように、係止される形状であればよい。また、前記フレキシブルシャフトＢも、複数個用意し、実施例２では、ディファレンシャルギヤー装置Ｆと二つの工具本体Ｃとの間に接続する等、種々の形態で使用できる。また、長ボルトＤのナットＥの取り付け位置にあたる場所には、予め、色材でマーキングしておくと、ナットＥの取り付けを簡単、迅速にすることができる。
【図面の簡単な説明】
【００４０】
【図１】この発明の実施例１の工具本体の縦断面図である。
【図２】この発明の実施例１の工具本体の斜視図である。
【図３】この発明の実施例１の使用状態を示す斜視図である。
【図４】この発明の実施例１の工具本体の使用状態における縦断面図である。
【図５】この発明の実施例１の工具本体のナット受け座に嵌め入れるアタッチメントと工具本体を示す斜視図である。
【図６】（Ｘ）図及び（Ｙ）図は夫々、この発明の実施例1の貫通孔の断面形状の異なるアタッチメントの平面図である。
【図７】この発明の実施例２の使用状態を示す側面図である。
【図８】この発明の実施例２の使用状態を示す分解斜視図である。
【図９】この発明の実施例２に使用するディファレンシャルギヤーの原理を示す説明図である。
【図１０】この発明の工具の使用に適する多段のケーブルラックの斜視図である。
【図１１】この発明の工具の使用に適する多数のナットを装着する長ボルトの側面図である。
【符号の説明】
【００４１】
Ａ      電動回転工具          Ｂ      フレキシブルシャフト
Ｃ      工具本体              Ｄ      長ボルト
Ｅ      ナット                Ｆ      ディファレンシャルギヤー装置
１      ケーシング            ２ａ    孔     
２ｂ    孔                    ３      管体
３ａ    貫通孔                ４      ボールベアリング
５      ナット受け座          ６      第１傘歯車
７      水平シャフト          ８      第２傘歯車
９      ケース                １０    ユニバーサルジョイント
１１    接続軸                １２    係止板
１３    軸                    １５ａ  傘歯車
１５ｂ  傘歯車                １５ｃ  傘歯車                 
１６    第１シャフト          １７    第２シャフト
１８    第３シャフト          １９    アタッチメント
２０    貫通孔
【図１】
0005415877.tif 000002
【図２】
0005415877.tif 000003
【図３】
0005415877.tif 000004
【図４】
0005415877.tif 000005
【図５】
0005415877.tif 000006
【図６】
0005415877.tif 000007
【図７】
0005415877.tif 000008
【図８】
0005415877.tif 000009
【図９】
0005415877.tif 000010
【図１０】
0005415877.tif 000011
【図１１】
0005415877.tif 000012